(57)【要約】      （修正有）【課題】区画用垂直フレームの支柱材どうしを連結材で連結して成るラックの前記連結材の架設にかかるコストの削減を図る。【解決手段】各区画用垂直フレームの支柱材６は、前側板部１１と左右両横側板部１２とを有すると共に後側が開放された中空状のもので、その前側板部１１には、支柱材６の内側からボルト１４を挿通させることができる取付孔１５ａが設けられ、補強座板１３には、ボルト１４を回転させないで挿通させることができる貫通孔が設けられ、この貫通孔から突出する状態のボルト１４は、その頭部１９と支柱材６との当接により軸周りの回転が阻止されるもので、ボルト１４には、その螺軸部１８ａの先端から軸方向に圧入されて前記補強座板１３を支柱材前側板部１１に当接させる位置で当該ボルト１４を固定する止め輪２０ａが嵌合され、補強座板１３とボルト１４に螺嵌するナット２１との間で連結材９が取り付けられた構成。【選択図】図７
2007161438.tif 000002
【特許請求の範囲】
【請求項１】
区画用垂直フレームをラック長さ方向に適当間隔おきに立設すると共に、各区画用垂直フレームの支柱材どうしを連結材で連結して成るラックであって、前記支柱材の連結材取付箇所には、当該支柱材と連結材との間に挟まれる補強座板がボルトにより取り付けられているラックにおいて、前記支柱材は、前側板部と左右両横側板部とを有すると共に後側が開放された中空状のもので、その前側板部には、支柱材内側から前記ボルトを挿通させることができる取付孔が設けられ、前記補強座板には、前記ボルトを回転させないで挿通させることができる貫通孔が設けられ、この補強座板の貫通孔から突出する状態の前記ボルトは、その頭部と支柱材との当接により軸周りの回転が阻止されるもので、当該ボルトには、その螺軸部先端から軸方向に圧入されて前記補強座板を支柱材前側板部に当接させる位置で当該ボルトを固定する抜け止め用の止め輪が嵌合され、前記補強座板と当該補強座板から突出する前記ボルトに螺嵌するナットとの間で前記連結材が取り付けられている、ラック。
【請求項２】
前記ボルトは左右一対の螺軸部を有するコ字形のもので、支柱材側の取付孔及び補強座板側の貫通孔は当該ボルトの左右一対の螺軸部に対応してそれぞれ左右一対設けられている、請求項１に記載のラック。
【請求項３】
支柱材の前側板部には内側に突出するリブが一体成形され、このリブに、前記コ字形ボルトの左右一対の螺軸部をつなぐ軸状頭部が嵌合する切欠き凹部が形成されている、請求項２に記載のラック。
【請求項４】
支柱材の左右両横側板部には、内側に入り込む段部を介して間隔が狭められた内寄り側板部が形成され、前記コ字形ボルトの左右一対の螺軸部の外側間隔は、支柱材左右両横側板部の内寄り側板部間の間隔よりも大きく、このコ字形ボルトを支柱材左右両横側板部の前記段部よりも内側で上下方向に傾斜させた状態で当該コ字形ボルトの左右一対の螺軸部を前記支柱材前側板部の取付孔に挿通し得るように、当該支柱材前側板部の取付孔を上下方向に長い長孔とした、請求項２又は３に記載のラック。
【請求項５】
前記ボルトは横向きに屈曲した頭部を備え、支柱材の左右両横側板部には、内側に入り込む段部を介して間隔が狭められた内寄り側板部が形成され、この支柱材横側板部の前記段部と内寄り側板部とにわたって、前記ボルトを支柱材内に挿入することができるボルト頭部係合孔が設けられ、支柱材前側板部の前記取付孔は、前記ボルト頭部係合孔から支柱材内側に斜めに挿入された前記ボルトを受け入れることができるように支柱材前側板部の左右巾方向に長い長孔とし、この長孔状の取付孔内で前記ボルトを支柱材前側板部に対し直交する向きに矯正し且つその斜め向きの頭部を前記ボルト頭部係合孔の外側で受け止めることができるように構成された、請求項１に記載のラック。
【請求項６】
支柱材側の取付孔とボルト頭部係合孔、及び補強座板側の貫通孔はそれぞれ左右一対設けられ、斜め向き頭部を備えた前記ボルトが支柱材左右両横側板部のそれぞれに隣接する状態で２本使用されている、請求項５に記載のラック。
【請求項７】
前記ボルトは、Ｔ字状頭部を有するＴ字形ボルトであって、当該Ｔ字形ボルトのＴ字状頭部が支柱材横側板部に隣接することにより当該Ｔ字形ボルトの軸周りの回転が阻止されている、請求項１に記載のラック。
【請求項８】
支柱材側の取付孔と補強座板側の貫通孔はそれぞれ左右一対設けられ、前記Ｔ字形ボルトが支柱材左右両横側板部のそれぞれに隣接する状態で２本使用されている、請求項７に記載のラック。
【請求項９】
区画用垂直フレームをラック長さ方向に適当間隔おきに立設すると共に、各区画用垂直フレームの支柱材どうしを連結材で連結して成るラックであって、前記支柱材の連結材取付箇所には、当該支柱材と連結材との間に挟まれる補強座板がボルトにより取り付けられているラックにおいて、前記支柱材は、前側板部と左右両側板部とを有すると共に後側が開放された中空状のもので、その前側板部の巾方向中央位置には内側に突出する角溝状のリブが一体成形されると共に、当該リブに取付孔が設けられ、前記補強座板には、内向きに突出するボルトと、当該内向き突出ボルトの左右両側において外向きに突出する左右一対のボルトとがそれぞれ固着立設され、前記内向き突出ボルトが前記支柱材リブの取付孔に内向きに挿通されると共に支柱材の内側で前記内向き突出ボルトに螺嵌されたナットにより前記補強座板が取り付けられ、この補強座板と左右一対の前記外向き突出ボルトに螺嵌するナットとの間で前記連結材が取り付けられている、ラック。
【請求項１０】
前記外向き突出ボルトと内向き突出ボルトとは、補強座板に設けられたねじ孔に端部が螺嵌した状態で当該補強座板に固着されている、請求項９に記載のラック。
【請求項１１】
前記外向き突出ボルトは補強座板の内側に突出する軸端部を有し、支柱材前側板部には、前記外向き突出ボルトの内側突出軸端部が嵌合する孔が設けられている、請求項９又は１０に記載のラック。
【発明の詳細な説明】
【技術分野】
【０００１】
本発明は、自動倉庫の入出庫用走行クレーンの走行通路に沿って配設される自動倉庫用ラックなどとして利用できるラックに関するものである。
【背景技術】
【０００２】
この種のラックは、区画用垂直フレームをラック長さ方向に適当間隔おきに立設すると共に、各区画用垂直フレームの支柱材どうしを連結材で連結し、隣り合う区画用垂直フレーム間で上下複数段に荷収納区画を形成することができるように構成されたものであるが前記支柱材に対する連結材の取付構造として、支柱材の連結材取付箇所に補強座板を、前記支柱材を貫通し且つ当該補強座板に設けられたねじ孔を螺合貫通するボルトにより取り付け、補強座板から突出する前記ボルトとこれに螺嵌するナットとで前記補強座板の外側に連結材を取り付ける構成が、例えば特許文献１によって知られている。この特許文献１に記載された従来の連結材取付構造は、支柱材の裏側から当該支柱材を貫通させて支柱材表側へ突出させたボルトの螺軸部を補強座板のねじ孔に螺合して補強座板を支柱材に固定するものであった。
【特許文献１】特開２００１−２８７８１５号公報
【発明の開示】
【発明が解決しようとする課題】
【０００３】
上記のような従来の連結材取付構造では、支柱材として、ボルトを前後水平方向に貫通させることができ且つ当該ボルトの頭部を支柱材の裏側で受け止めることができる互いに平行な前後両側板部を備えたものでなければならない。換言すれば、巾の比較的広い角パイプ状の支柱材か又は、裏側の巾方向中央部が開放した横断面略コ字形のものであっても当該裏側開放部の両側にボルト頭部を受け止めることができる程度に巾広の側板部が存在するような支柱材である必要があり、裏側にボルト頭部を受け止めることができる程度の巾広側板部を持たない断面形状の支柱材が使用されるラックには、特許文献１に記載されたような従来の連結材取付構造は採用することができない。
【課題を解決するための手段】
【０００４】
本発明は上記のような従来の問題点を解消し得るラックを提供することを目的とするものであって、その手段を後述する実施形態の参照符号を付して示すと、区画用垂直フレーム２をラック長さ方向に適当間隔おきに立設すると共に、各区画用垂直フレーム２の支柱材６，７どうしを連結材（水平連結材９）で連結して成るラックであって、前記支柱材６，７の連結材取付箇所には、当該支柱材６，７と連結材（水平連結材９）との間に挟まれる補強座板１３がボルト１４，２６，２７により取り付けられているラックにおいて、前記支柱材６，７は、前側板部１１と左右両横側板部１２とを有すると共に後側が開放された中空状のもので、その前側板部１１には、支柱材６，７の内側から前記ボルト１４，２６，２７を挿通させることができる取付孔１５ａ，１５ｂ，２９ａ，２９ｂ，３０ａ，３０ｂが設けられ、前記補強座板１３には、前記ボルト１４，２６，２７を回転させないで挿通させることができる貫通孔１７ａ，１７ｂが設けられ、この補強座板１３の貫通孔１７ａ，１７ｂから突出する状態の前記ボルト１４，２６，２７は、その頭部１９，２６ａ，２７ａと支柱材６，７との当接により軸周りの回転が阻止されるもので、当該ボルト１４，２６，２７には、その螺軸部１８ａ，１８ｂ，２６ｂ，２７ｂの先端から軸方向に圧入されて前記補強座板１３を支柱材前側板部１１に当接させる位置で当該ボルト１４，２６，２７を固定する抜け止め用の止め輪２０ａ，２０ｂが嵌合され、前記補強座板１３と当該補強座板１３から突出する前記ボルト１４，２６，２７に螺嵌するナット２１との間で前記連結材（水平連結材９）が取り付けられた構成となっている。
【０００５】
上記構成の本発明を実施するについて、具体的には請求項２に記載のように、前記ボルトとして、左右一対の螺軸部１８ａ，１８ｂを有するコ字形ボルト１４を使用し、支柱材６，７側の取付孔１５ａ，１５ｂ及び補強座板１３側の貫通孔１７ａ，１７ｂは当該コ字形ボルト１４の左右一対の螺軸部１８ａ，１８ｂに対応してそれぞれ左右一対設けることができる。このコ字形ボルト１４を採用する場合で、支柱材６，７の前側板部１１に内側に突出するリブ１１ａが一体成形されている場合、請求項３に記載のように、前記リブ１１ａに、コ字形ボルト１４の左右一対の螺軸部１８ａ，１８ｂをつなぐ軸状頭部１９が嵌合する切欠き凹部１６を形成しておくことができる。又、支柱材６，７の左右両横側板部１２に、内側に入り込む段部１２ａを介して間隔が狭められた内寄り側板部１２ｂが形成されている場合、請求項４に記載のように、前記コ字形ボルト１４の左右一対の螺軸部１８ａ，１８ｂの外側間隔を、支柱材左右両横側板部１２の内寄り側板部１２ｂ間の間隔よりも大きくしておき、このコ字形ボルト１４を支柱材左右両横側板部１２の前記段部１２ａよりも内側で上下方向に傾斜させた状態で当該コ字形ボルト１４の左右一対の螺軸部１８ａ，１８ｂを前記支柱材前側板部１１の取付孔１５ａ，１５ｂに挿通し得るように、当該支柱材前側板部１１の取付孔１５ａ，１５ｂを上下方向に長い長孔としておくことができる。
【０００６】
又、支柱材６，７の左右両横側板部１２には、内側に入り込む段部１２ａを介して間隔が狭められた内寄り側板部１２ｂが形成されている場合、請求項５に記載のように、前記ボルト２６として横向きに屈曲した頭部２６ａを備えたものを使用し、支柱材６，７には、その横側板部１２の前記段部１２ａと内寄り側板部１２ｂとにわたって、前記ボルト２６を支柱材６，７内に挿入することができるボルト頭部係合孔２８ａを設け、支柱材前側板部１１の前記取付孔２９ａは、前記ボルト頭部係合孔２８ａから支柱材６，７内側に斜めに挿入された前記ボルト２６を受け入れることができるように支柱材前側板部１１の左右巾方向に長い長孔とし、この長孔状の取付孔２９ａ内で前記ボルト２６を支柱材前側板部１１に対し直交する向きに矯正し且つその斜め向きの頭部２６ａを前記ボルト頭部係合孔２８ａの外側で受け止めることができるように構成することができる。この場合も、請求項６に記載のように、斜め向き頭部２６ａを備えた前記ボルト２６を支柱材左右両横側板部１２のそれぞれに隣接する状態で２本使用することができるように、支柱材６，７側の取付孔２９ａ，２９ｂとボルト頭部係合孔２８ａ，２８ｂ、及び補強座板１３側の貫通孔１７ａ，１７ｂはそれぞれ左右一対設けておくことができる。
【０００７】
又、請求項７に記載のように、前記ボルトとして、Ｔ字状頭部２７ａを有するＴ字形ボルト２７を使用し、当該Ｔ字形ボルト２７のＴ字状頭部２７ａが支柱材横側板部１２に隣接することにより当該Ｔ字形ボルト２７の軸周りの回転が阻止されるように構成することができる。この場合も、請求項８に記載のように、前記Ｔ字形ボルト２７を支柱材左右両横側板部１２のそれぞれに隣接する状態で２本使用することができるように、支柱材６，７側の取付孔３０ａ，３０ｂと補強座板１３側の貫通孔１７ａ，１７ｂはそれぞれ左右一対設けておくことができる。
【０００８】
更に本発明は、前記支柱材６，７が、前側板部１１と左右両側板部１２とを有すると共に後側が開放された中空状のもので、その前側板部１１の巾方向中央位置には内側に突出する角溝状のリブ１１ａが一体成形されている場合、請求項９に記載のように、前記リブ１１ａに取付孔３３を設けておき、前記補強座板１３には、内向きに突出するボルト３１と、当該内向き突出ボルト３１の左右両側において外向きに突出する左右一対のボルト３２ａ，３２ｂとをそれぞれ固着立設し、前記内向き突出ボルト３１を前記支柱材リブ１１ａの取付孔３３に内向きに挿通すると共に支柱材６，７の内側で前記内向き突出ボルト３１に螺嵌したナット４０により前記補強座板１３を取り付け、この補強座板１３と左右一対の前記外向き突出ボルト３２ａ，３２ｂに螺嵌するナット２１との間で前記連結材（水平連結材９）を取り付けることもできる。
【０００９】
上記請求項９に記載の構成を採用する場合、請求項１０に記載のように、前記外向き突出ボルト３２ａ，３２ｂと内向き突出ボルト３１とは、補強座板１３に設けられたねじ孔３４，３５ａ，３５ｂに端部が螺嵌した状態で当該補強座板１３に溶接やカシメなどにより固着することができる。又、請求項１１に記載のように、前記外向き突出ボルト３２ａ，３２ｂには補強座板１３の内側に突出する軸端部３８ａ，３８ｂを有せしめ、支柱材前側板部１１には、前記外向き突出ボルト３２ａ，３２ｂの内側突出軸端部３８ａ，３８ｂが嵌合する孔３９ａ，３９ｂを設けておくことができる。
【発明の効果】
【００１０】
上記請求項１〜８に記載の構成に係る本発明に係るラックによれば、支柱材は、その内側からボルトを支柱材前側板部の取付孔に挿通させることができ且つボルト頭部との当接により当該ボルトの軸周りの回転を阻止できるものであれば良く、従来のようにボルト頭部を回転操作できる状態に受け止める後側板部は無くとも良いのである。而して、上記のように支柱材の内側から支柱材前側板部の取付孔を経由して当該支柱材前側板部の外側に配置した補強座板の貫通孔に挿通させた前記ボルトの先端から回り止め用の止め輪を圧入して、補強座板を支柱材前側板部に当接させた状態で当該ボルトを固定しておけば、後は、補強座板から突出する前記ボルトと当該ボルトに螺嵌させたナットを利用して、前記補強座板の外側に連結材を取り付けることができる。
【００１１】
従って本発明の構成は、裏側にボルト頭部を回転操作可能に受け止めることができる程度の巾広後側板部を持たない断面形状の支柱材が使用されるラックにおいても、問題なく活用することができる。しかも、支柱材に対する補強座板の取り付けに際してはボルトのねじ込み操作は不要で、ボルトの先端から止め輪を圧入するだけのワンタッチ操作で補強座板を取り付けることができ、補強座板の取付作業を容易且つ能率的に行えると共に、補強座板にねじ孔加工を行う必要もなく、補強座板のコストダウンを図ることができる。勿論、ボルトと止め輪で補強座板を支柱材前側板部に取り付けてしまえば、このボルトをナットを螺嵌締結して連結材を補強座板に取り付ける際に、当該ボルトを支柱材の内側から回り止めする必要はなく、連結材の取付作業も容易に行える。
【００１２】
尚、請求項２に記載の構成によれば、ボルトと止め輪で取り付けられる補強座板が当該ボルトの周りで回転することが無く、所定の姿勢で確実に取り付けることができるのであるが、独立した２本のボルトを使用する場合よりも補強座板の取付作業を非常に容易且つ能率的に行える。この場合、請求項３に記載の構成によれば、支柱材そのものが前側板部のリブにより補強できるだけでなく、コ字形ボルトの軸状頭部で当該リブを押し潰す恐れもない。更に、各区画用垂直フレームを、前後の支柱材どうしを斜め連結材で連結一体化してラチス構造に構成するに際し、請求項４に記載の構成によれば、支柱材左右両横側板部間で前記斜め連結材を挟み込んでボルトナットなどで結合する際に、斜め連結材の厚さに合わせて間隔を狭めた支柱材左右両横側板部の内寄り側板部間で強固に斜め連結材を結合することができると共に、支柱材自体も支柱材左右両横側板部の段部で補強することができるのであるが、コ字形ボルトの左右一対の螺軸部の間隔を、支柱材左右両横側板部の内寄り側板部の存在に関係なく支柱材の左右巾に合わせて最大にすることができ、このコ字形ボルトの２本の螺軸部それぞれを支柱材の左右両横側板部に最大限接近させて、補強座板の取付強度を高めることができる。
【００１３】
又、上記のように支柱材左右両横側板部に間隔を狭めるための内寄り側板部が形成されている場合、請求項５に記載の構成によれば、当該内寄り側板部を設けるために支柱材左右両横側板部に形成される段部の巾を、一般的なボルトの頭部を回転操作可能に受け止めることができる程度に巾広く形成する必要がなくなり、巾の狭い支柱材が必要な軽荷重用のラックを構成する場合に好都合である。この場合に請求項６に記載の構成によれば、斜め向き頭部を備えたボルトと止め輪で取り付けられる補強座板が当該ボルトの周りで回転することが無く、所定の姿勢で確実に取り付けることができる。
【００１４】
又、請求項７に記載の構成によれば、螺軸部にＴ字状に直交する軸状頭部を有するＴ字形のボルトを準備するだけで支柱材側に特別な加工が不要であり、又、ボルトの挿通も容易で、補強座板の取付作業を簡単容易に行える。この場合に請求項８に記載の構成によれば、Ｔ字形ボルトと止め輪で取り付けられる補強座板が当該ボルトの周りで回転することが無く、所定の姿勢で確実に取り付けることができる。
【００１５】
尚、前記支柱材が、前側板部と左右両側板部とを有すると共に後側が開放された中空状のもので、その前側板部の巾方向中央位置には内側に突出する角溝状のリブが一体成形されている場合、請求項９に記載の構成を採用することにより、当該角溝状のリブを利用して補強座板をボルトナットで取り付けることができるのであるが、この補強座板取付用のボルトナットと、当該補強座板に連結材を取り付けるためのボルトナットとの内、それぞれのボルトは補強座板に固着立設されており、取付作業に際しては各ボルトナットに対してナットのみを螺嵌締結すれば良いので、当該取付作業が容易且つ能率的に行える。しかも、支柱材の裏側（後側）から回転操作することになる補強座板取付用ボルトナットのナットは、支柱材の前側板部の巾方向中央位置にあるリブの内側、即ち、支柱材の後側開放部に対面する位置になるので、当該ナットの回転操作は支柱材の後側開放部から容易に行える。そして補強座板に連結材を取り付けるための左右一対の外向き突出ボルトは、支柱材前側板部の左右両側辺に近い位置に必要になるが、本発明の構成では、当該左右一対の外向き突出ボルトは補強座板に固着立設させるので、支柱材の断面形状、例えば当該左右一対の外向き突出ボルトを前後方向に挿通させてナット止めできる断面形状であるか否かとは一切関係なく、最適な位置に当該左右一対の外向き突出ボルトを配設することができるのである。
【００１６】
尚、上記請求項９に記載の構成を採用する場合、請求項１０に記載の構成によれば、補強座板に対する各ボルトの固着立設が簡単容易に行えるし、請求項１１に記載の構成によれば、補強座板を内向き突出ボルトを利用して支柱材に取り付けるに際して、支柱材前側板部に設けられた孔に外向き突出ボルトの内側突出軸端部を嵌合させることにより、内向き突出ボルトの周りでの補強座板の回転が阻止され、補強座板を容易且つ確実に所定の向きに固定することができる。
【発明を実施するための最良の形態】
【００１７】
以下に本発明の具体的実施例を添付図の図１〜図７に基づいて説明すると、図１に示すように、この実施形態に示すラック１は、多数の区画用垂直フレーム２と、隣り合う各区画用垂直フレーム２どうしを連結する上下複数段の水平連結フレーム３とから構成され、各区画用垂直フレーム２には、隣り合う区画用垂直フレーム２間で荷収納空間を上下複数段に形成する荷支持具４が付設されている。尚、各水平連結フレーム３は、荷支持具４の上側に形成される荷収納空間の上端近傍で、荷の出し入れに邪魔にならない高さに配設されている。勿論、この水平連結フレーム３が上端近傍に配設されるレベルの荷収納空間は、その高さを他のレベルの荷収納空間の高さよりも高くしても良い。更に、図１〜図３に示すように、適当間隔おきに位置する区画用垂直フレーム２どうしを、荷を出し入れしない背面側で連結する垂直ブレース５が設けられている。
【００１８】
各区画用垂直フレーム２は、図３に示すように、前側（荷出し入れ側）支柱材６と後側支柱材７、及び前後両支柱材６，７どうしを連結一体化する斜め連結材８から成るラチス構造のものであり、各段の荷支持具４はその前後両端が前後両支柱材６，７の側面に片持ち状に取り付けられている。
【００１９】
各段の水平連結フレーム３は、図２に示すように、各区画用垂直フレーム２の前側各支柱材６どうし及び後側各支柱材７どうしを各別に連結する前後２本の水平連結材９と、この前後両水平連結材９間に斜めに架設された複数本の水平ブレース１０とから構成されている。
【００２０】
図４〜図７に示すように、各支柱材６，７は、区画用垂直フレーム２の外側に面する前側板部１１と、この前側板部１１の左右両側辺から区画用垂直フレーム２の内側に向かって折曲連設された左右一対の横側板部１２とから成る横断面略コ字形のもので、前側板部１１には、その巾方向中央位置に内側に角溝状に凹入する補強用のリブ１１ａが形成され、左右両横側板部１２には、内側に入り込む段部１２ａを介して間隔が狭められた内寄り側板部１２ｂが形成されると共に、当該内寄り側板部１２ｂの遊側辺に山形状に外側に突曲する補強用のリブ１２ｃが形成されている。而して、各支柱材６，７の各段水平連結フレーム３が結合される箇所には、前側板部１１に当接する状態で補強座板１３がそれぞれボルト１４により取り付けられている。
【００２１】
即ち、図６及び図７に詳細を示すように、各支柱材６，７の各段水平連結フレーム３が結合される箇所の前側板部１１には、リブ１１ａの左右両側で横側板部１２に隣接する位置に支柱材長さ方向に長い長孔状取付孔１５ａ，１５ｂが設けられると共に、この長孔状取付孔１５ａ，１５ｂの長さ方向中央位置の真横に位置するように、リブ１１ａを横断する切欠き凹部１６が形成されている。
【００２２】
補強座板１３は、支柱材６，７側の並列する２つの長孔状取付孔１５ａ，１５ｂと同一の間隔で２つの貫通孔１７ａ，１７ｂが設けられている。この補強座板１３の取り付けに使用されるボルト１４は、補強座板１３側の２つの貫通孔１７ａ，１７ｂに挿入することができる間隔で２本の螺軸部１８ａ，１８ｂを軸状頭部１９によって連結一体化して成るコ字形ボルトである。このコ字形ボルト１４には、その２本の螺軸部１８ａ，１８ｂのそれぞれに装着される２つの止め輪２０ａ，２０ｂが併用される。これら止め輪２０ａ，２０ｂは、ゴムなどの平板状弾性材から構成されたものや、ストップリングと呼称されるスプリング鋼製のものなど、周知の各種のものが利用できるが、何れのものも内径が螺軸部１８ａ，１８ｂの外径よりも若干小さく、一定以上の外力で内径を広げることができるリング状のもので、螺軸部１８ａ，１８ｂの先端から弾性に抗して任意の位置まで外嵌圧入することはできるが、逆方向には容易には抜き取れないものである。又、コ字形ボルト１４は、その両螺軸部１８ａ，１８ｂの外側間隔が支柱材６，７の左右両横側板部１２間の最小間隔（内寄り側板部１２ｂ間の間隔）よりも大きいが左右両横側板部１２間の最大間隔（段部１２ａと前側板部１１との間の部分の間隔）よりも小さく、そして全体の長さ（螺軸部１８ａ，１８ｂの全長）が支柱材６，７の前側板部１１と段部１２ａとの間の前後方向間隔よりも長いものである。
【００２３】
補強座板１３を支柱材６，７に取り付けるときは、図７Ａに示すように、コ字形ボルト１４を支柱材６，７の内側に、前側板部１１と両横側板部１２の段部との間で両螺軸部１８ａ，１８ｂを前側板部１１の裏側に隣接させるように上下方向に傾斜させた状態で挿入する。そして当該コ字形ボルト１４の両螺軸部１８ａ，１８ｂを前側板部１１における左右一対の取付孔１５ａ，１５ｂに外向きに差し込む。このとき取付孔１５ａ，１５ｂが前記のように支柱材長さ方向に長い長孔状であるから、傾斜状態のコ字形ボルト１４の螺軸部１８ａ，１８ｂを無理なく取付孔１５ａ，１５ｂに差し込み、差し込みに従ってコ字形ボルト１４を水平姿勢に戻し、差し込みの最終段階で当該コ字形ボルト１４の軸状頭部１９を両１５ａ，１５ｂの間に位置するリブ１１ａの切欠き凹部１６に嵌合させることができる。この状態で、支柱材前側板部１１の表面から突出しているコ字形ボルト１４の２本の螺軸部１８ａ，１８ｂを補強座板１３の２つの貫通孔１７ａ，１７ｂに挿通させるように、補強座板１３を支柱材前側板部１１の表面に当接させ、そして図７Ｂに示すように、当該補強座板１３の貫通孔１７ａ，１７ｂから突出しているコ字形ボルト１４の２本の螺軸部１８ａ，１８ｂそれぞれに止め輪２０ａ，２０ｂを弾性に抗して外嵌圧入させ、これら両止め輪２０ａ，２０ｂとコ字形ボルト１４の軸状頭部１９との間で支柱材６，７の前側板部１１と補強座板１３とを挟み付け、補強座板１３を支柱材前側板部１１の表面に当接状態で固定する。
【００２４】
上記のようにして各支柱材６，７の所定位置にそれぞれ補強座板１３をコ字形ボルト１４と止め輪２０ａ，２０ｂにより取り付けたならば、当該補強座板１３の外側に突出しているコ字形ボルト１４の螺軸部１８ａ，１８ｂを利用して、支柱材６，７に連結材、即ち、水平連結フレーム３を構成する前後両水平連結材９の端部や、垂直ブレース５の端部を取り付けることができる。即ち、図４及び図５に示すように、水平連結フレーム３を構成する前後両水平連結材９は、丸パイプ材の両端部に偏平状端部９ａを形成したものであり、この水平連結材９の偏平状端部９ａを、当該偏平状端部９ａに設けられた取付孔に螺軸部１８ａ，１８ｂを挿通させるように補強座板１３の表面に当接させた状態で、ナット２１を各螺軸部１８ａ，１８ｂに螺嵌締結することにより、補強座板１３に固定することができる。水平連結材９の偏平状端部９ａは、図４に示すように、その補強座板１３に当接する側とは反対側の外側面が平面視において水平連結材９の外側面と面一になるように丸パイプ材の両端部を偏平状に押し潰して形成しておき、偏平状端部９ａの外側面からは水平連結材９が外側に突出しないように構成するのが望ましい。
【００２５】
尚、ラックの長さ方向の両端に位置する区画用垂直フレーム２の支柱材６，７に対しては、片側にのみ水平連結フレーム２が結合されるので、図４Ａ，Ｃに示すように、各補強座板１３を取り付けているコ字形ボルト１４の２本の螺軸部１８ａ，１８ｂの内、一方の螺軸部のみが水平連結材９の取り付けに利用されることになるが、他方の螺軸部にもナット２１を螺嵌締結しておくことができる。又、区画用垂直フレーム２の後側支柱材７の内、ラック裏側の垂直ブレース５の端部が取り付けられる位置にある後側支柱材７の補強座板１３には、図４Ｃ，Ｄ及び図５Ｂに示すように、水平連結材９の偏平状端部９ａをコ字形ボルト１４の螺軸部１８ａ，１８ｂとナット２１とで補強座板１３に締結する前に、当該螺軸部１８ａ，１８ｂに垂直ブレース５の端部、即ち、ブレースロッド２２の両端螺軸部２２ａに螺嵌するナット部２３ａを備えた取付用板材２３を、当該取付用板材２３に設けられた取付孔に螺軸部１８ａ，１８ｂを挿通させるように水平連結材９の偏平状端部９ａの外側に重ね、当該垂直ブレース５の取付用板材２３の外側で螺軸部１８ａ，１８ｂにナット２１を螺嵌締結させることにより、水平連結材９の端部と垂直ブレース５の端部とをコ字形ボルト１４の螺軸部１８ａ，１８ｂとナット２１とで共締め固定することができる。勿論、図５Ｂに示すように、水平連結フレーム３の上下両側に対称形に垂直ブレース５が配設される箇所では、水平連結材９の端部（偏平状端部９ａ）と上下両垂直ブレース５の端部（取付用板材２３）を３枚重ねの状態でコ字形ボルト１４の螺軸部１８ａ，１８ｂとナット２１とで共締め固定することができる。
【００２６】
又、図４Ｂ，Ｃ及び図５Ａに示すように、水平連結フレーム３を構成する水平ブレース１０も、水平連結材９と同様に丸パイプ材の両端に偏平状端部１０ａを形成したものである場合、当該偏平状端部１０ａを水平連結材９の上側に重ねて上下方向のボルト２４とナット２５とで水平連結材９に結合することができるが、補強座板１３にコ字形ボルト１４とナット２１とで結合される水平連結材９や垂直ブレース５の端部構造や、水平連結材９に結合される水平ブレース１０の構造などは、如何なるものであっても良い。又、支柱材６，７の前側板部１１が補強用のリブ１１ａを備えている場合、上記実施形態のように、当該リブ１１ａにコ字形ボルト１４の軸状頭部１９が嵌合する切欠き凹部１６を設けて、当該コ字形ボルト１４の軸状頭部１９を支柱材前側板部１１の裏面に当接させることができるように構成するのが望ましいが、この切欠き凹部１６は必須のものではない。
【００２７】
補強座板１３の取り付けに使用されるボルトは、上記実施形態に示したコ字形ボルト１４に限定されない。例えば、図８及び図９に示す斜め向き頭部２６ａを備えたボルト２６や、図１０及び図１１に示すＴ字状頭部２７ａを備えたＴ字形ボルト２７などが利用できる。
【００２８】
図８及び図９に示す実施形態について説明すると、斜め向きの頭部２６ａを備えたボルト２６は２本使用される。支柱材６，７には、図９Ａに示すように、左右の横側板部１２における段部１２ａから内寄り側板部１２ｂにわたって前記ボルト２６を支柱材６，７内に挿入することができるボルト頭部係合孔２８ａ，２８ｂが設けられ、支柱材前側板部１１には、図９Ｂに示すように、前記ボルト頭部係合孔２８ａ，２８ｂから支柱材６，７内へ斜めに挿入された前記ボルト２６を受け入れることができるように支柱材前側板部１１の左右巾方向に長い長孔状取付孔２９ａ，２９ｂが左右の横側板部１２に隣接するように設けられ、この長孔状取付孔２９ａ，２９ｂ内で前記ボルト２６を支柱材前側板部１１に対し直交する向き（左右の横側板部１２と平行になる向き）に矯正し且つその斜め向きの頭部２６ａを前記ボルト頭部係合孔２８ａ，２８ｂの外側で受け止めることができるように構成されている。
【００２９】
上記のように各ボルト頭部係合孔２８ａ，２８ｂと長孔状取付孔２９ａ，２９ｂとを利用して支柱材６，７の左右両側辺に前記ボルト２６を挿通配置させたならば、図８に示すように、各ボルト２６の支柱材前側板部１１から突出する螺軸部２６ｂを先の実施形態におけるコ字形ボルト１４の螺軸部１８ａ，１８ｂと同様に利用し且つ止め輪２０ａ，２０ｂを併用して、補強座板１３を支柱材前側板部１１の表面に当接状態で取り付けることができる。そして当該補強座板１３から突出する２本のボルト２６それぞれの螺軸部２６ｂを、先の実施形態におけるコ字形ボルト１４の２本の螺軸部１８ａ，１８ｂに見做して、先の実施形態と同様に当該補強座板１３に水平連結材９や垂直ブレース５の端部を取り付けることができる。
【００３０】
図１０及び図１１に示す実施形態について説明すると、Ｔ字状頭部２７ａを備えたＴ字形ボルト２７は２本使用される。支柱材６，７には、図１１Ａに示すように、左右の横側板部１２に隣接するように支柱材前側板部１１に２つの取付孔３０ａ，３０ｂが設けられ、この各取付孔３０ａ，３０ｂに支柱材６，７の内側から外向きにＴ字形ボルト２７を挿通させたとき、各Ｔ字形ボルト２７のＴ字状頭部２７ａが支柱材横側板部１２に隣接して当該Ｔ字形ボルト２７が回り止めされるように構成されている。従って、このように支柱材６，７の左右両側辺にＴ字形ボルト２７を挿通配置させたならば、図１０に示すように、各Ｔ字形ボルト２７の支柱材前側板部１１から突出する螺軸部２７ｂを先の実施形態におけるコ字形ボルト１４の螺軸部１８ａ，１８ｂと同様に利用し且つ止め輪２０ａ，２０ｂを併用して、補強座板１３を支柱材前側板部１１の表面に当接状態で取り付けることができる。そして当該補強座板１３から突出する２本のボルト２７それぞれの螺軸部２７ｂを、先の実施形態におけるコ字形ボルト１４の２本の螺軸部１８ａ，１８ｂに見做して、先の実施形態と同様に当該補強座板１３に水平連結材９や垂直ブレース５の端部を取り付けることができる。
【００３１】
以上の各実施形態では、補強座板１３を支柱材６，７に取り付けるボルトと当該補強座板１３に水平連結材９や垂直ブレース５の端部を取り付けるボルトとを、当該補強座板１３とは別のボルト１４，２６，２７で兼用させているが、補強座板１３を支柱材６，７に取り付けるボルトと当該補強座板１３に水平連結材９や垂直ブレース５の端部を取り付けるボルトとを別にすることもできる。この場合の好適な実施形態を図１２及び図１３に基づいて説明すると、補強座板１３には、内向きに突出するボルト３１と、当該内向き突出ボルト３１の左右両側において外向きに突出する左右一対のボルト３２ａ，３２ｂとがそれぞれ固着立設され、前記内向き突出ボルト３１を支柱材６，７の外側から内向きに挿通させる取付孔３３が支柱材６，７の前側板部１１における角溝状リブ１１ａの底板部に設けられている。
【００３２】
更に詳述すると、前記内向き突出ボルト３１と外向き突出ボルト３２ａ，３２ｂとは全長が螺軸から成る、頭部を持たないものであって、補強座板１３に設けられたねじ孔３４，３５ａ，３５ｂに端部が螺嵌した状態で当該補強座板１３に溶接３６，３７ａ，３７ｂにより固着され、左右一対の外向き突出ボルト３２ａ，３２ｂは補強座板１３から内側に所要長さだけ突出させており、当該外向き突出ボルト３２ａ，３２ｂの補強座板１３の内側に突出する軸端部３８ａ，３８ｂが嵌合する孔３９ａ，３９ｂが、支柱材前側板部１１の横側板部１２に隣接する位置に設けられている。
【００３３】
上記構成の補強座板１３は、その１本の内向き突出ボルト３３を支柱材６，７側の取付孔３３に支柱材６，７の外側から内向きに挿通させ、支柱材６，７の内側でリブ１１ａから突出する前記内向き突出ボルト３３にナット４０を螺嵌締結して取り付けられるが、この補強座板１３の取り付けに際して、左右一対の外向き突出ボルト３２ａ，３２ｂの補強座板１３から内側に突出する軸端部３８ａ，３８ｂを支柱材前側板部１１の左右一対の孔３９ａ，３９ｂに嵌合させておく。従って、ナット４０の締結前に補強座板１３が内向き突出ボルト３３の周りで回転することはなく、当該補強座板１３の姿勢が、左右一対の外向き突出ボルト３２ａ，３２ｂが水平に並列する向きに確実に規制されている状態でナット４０を締結して補強座板１３を支柱材６，７に取り付けることができる。又、この補強座板１３を取り付けるナット４０の回転操作は、支柱材６，７の両横側板部１２間の後側開放部から容易に行うことができる。
【００３４】
上記のように内向き突出ボルト３３とナット４０とで支柱材６，７に取り付けられた補強座板１３に対しては、当該補強座板１３から突出する２本の外向き突出ボルト３２ａ，３２ｂを、先の実施形態におけるコ字形ボルト１４の２本の螺軸部１８ａ，１８ｂに見做して、先の実施形態と同様に水平連結材９や垂直ブレース５の端部を取り付けることができる。
【００３５】
尚、補強座板１３から突出する２本のボルト螺軸部に、支柱材６，７の左右両側に配設される水平連結材９の各端部を取り付ける実施形態を示しているが、水平連結材が支柱材の左右両側にわたって連続する長尺の水平連結材が使用される場合には、この長尺の水平連結材の長さ方向の中間部分と当該水平連結材中間部分が隣接する支柱材に取り付けられた補強座板１３とは、当該補強座板１３から突出する２本のボルト螺軸部を利用して結合することができる。
【図面の簡単な説明】
【００３６】
【図１】ラック全体の概略正面図である。
【図２】ラック全体の概略平面図である。
【図３】ラック全体の概略側面図である。
【図４】Ａ図及びＢ図は前側支柱材に対する水平連結フレームの水平連結材の結合箇所を説明する要部の横断平面図、Ｃ図及びＤ図は後側支柱材に対する水平連結フレームの水平連結材と垂直ブレースの結合箇所を説明する要部の横断平面図である。
【図５】Ａ図は前側支柱材に対する水平連結フレームの水平連結材の結合箇所を説明する要部の正面図、Ｂ図は後側支柱材に対する水平連結フレームの水平連結材と垂直ブレースの結合箇所を説明する要部の背面図である。
【図６】支柱材に対する補強座板の取付構造を説明する要部の分解斜視図である。
【図７】Ａ図は支柱材に対するコ字形ボルトの取付方法を説明する要部の縦断側面図、Ｂ図は支柱材に対する補強座板取付構造を示す要部の縦断側面図である。
【図８】補強座板取付構造の第一変形例を示す要部の横断平面図である。
【図９】Ａ図は同第一変形例における支柱材一部分の一部切欠き斜視図、Ｂ図は同変形例における支柱材に対するボルトの取付方法を説明する横断平面図である。
【図１０】補強座板取付構造の第二変形例を示す要部の横断平面図である。
【図１１】Ａ図は同第二変形例における支柱材一部分の一部切欠き斜視図、Ｂ図は同変形例におけるボルトの斜視図である。
【図１２】補強座板取付構造の第三変形例を示す要部の横断平面図である。
【図１３】Ａ図は同第三変形例における支柱材一部分の一部切欠き斜視図、Ｂ図は同変形例におけるボルト付き補強座板とナットとを示す斜視図である。
【符号の説明】
【００３７】
１    ラック
２    区画用垂直フレーム
３    水平連結フレーム
４    荷支持具
５    垂直ブレース
６    前側支柱材（区画用垂直フレーム）
７    後側支柱材（区画用垂直フレーム）
８    斜め連結材
９    水平連結材（水平連結フレーム）
１０    水平ブレース（水平連結フレーム）
１１    支柱材の前側板部
１１ａ    支柱材前側板部のリブ
１２    支柱材の横側板部
１２ａ    支柱材横側板部の段部
１２ｂ    支柱材横側板部の内寄り側板部
１３    補強座板
１４    コ字形ボルト
１５ａ，１５ｂ    長孔状取付孔
１６    切欠き凹部
１７ａ，１７ｂ    貫通孔
１８ａ，１８ｂ    コ字形ボルトの螺軸部
１９    コ字形ボルトの軸状頭部
２０ａ，２０ｂ    止め輪
２１，４０    ナット
２６    斜め向き頭部付きボルト
２７    Ｔ字形ボルト
２６ａ    ボルトの斜め向き頭部
２７ａ    ボルトのＴ字状頭部
２８ａ，２８ｂ    ボルト頭部係合孔
２９ａ，２９ｂ    長孔状取付孔
３０ａ，３０ｂ，３３    取付孔
３１，３２ａ，３２ｂ    頭部無しのボルト
３４，３５ａ，３５ｂ    ねじ孔
３６，３７ａ，３７ｂ    溶接
３８ａ，３８ｂ    ボルトの内側突出軸端部
３９ａ，３９ｂ    孔
【図１】
2007161438.tif 000003
【図２】
2007161438.tif 000004
【図３】
2007161438.tif 000005
【図４】
2007161438.tif 000006
【図５】
2007161438.tif 000007
【図６】
2007161438.tif 000008
【図７】
2007161438.tif 000009
【図８】
2007161438.tif 000010
【図９】
2007161438.tif 000011
【図１０】
2007161438.tif 000012
【図１１】
2007161438.tif 000013
【図１２】
2007161438.tif 000014
【図１３】
2007161438.tif 000015